(57)【要約】    【課題】      構造を重量化あるいは複雑化させることなく、降順式のスタッカーのようにそのスタッカーテーブルを順次下方に下降させる方式であっても、積層された印字用紙３を若い番号順に得ることができ、大型の印字用紙３を大量に積層することができる印字用紙用カッタースタッカー装置を提供すること。    【解決手段】  印字部１６から切断部２０および積層部２１を立体的に配置すること、印字された印字用紙３を表裏反転すること、反転した状態で積層すること、取り出した積層状態の印字用紙３を逆さまにひっくり返せば上から順番に印字された状態の印字用紙３を順次得られることに着目したもので、印字部１６と切断部２０との間に設けるとともに、印字用紙３を表裏反転可能な反転部１９と、切断部２０の下流側に設けるとともに、切断された印字用紙３を積層してゆく積層部２１と、を有することを特徴とする。【選択図】        図１
2005239396.tif 000002
【特許請求の範囲】
【請求項１】
印字部において印字された帯状の印字用紙を切断部により所定ピッチで切断するとともに、この切断された単葉の印字用紙を積層するための印字用紙用カッタースタッカー装置であって、
前記印字部と前記切断部との間に設けるとともに、前記印字用紙を表裏反転可能な反転部と、
前記切断部の下流側に設けるとともに、前記切断された印字用紙を積層してゆく積層部と、
を有することを特徴とする印字用紙用カッタースタッカー装置。
【請求項２】
前記反転部は、回動軸のまわりに揺動可能であって、前記印字用紙を前記印字部から前記切断部にかけて迂回路に迂回させることができるバッファアームを有することを特徴とする請求項１記載の印字用紙用カッタースタッカー装置。
【請求項３】
前記反転部は、前記印字用紙を前記印字部から前記切断部にかけて迂回路に迂回させることができる断面弧状のガイドプレートを有することを特徴とする請求項１記載の印字用紙用カッタースタッカー装置。
【請求項４】
前記積層部は、前記印字用紙の積層にともなって下方に下降可能なスタッカーテーブルを有することを特徴とする請求項１記載の印字用紙用カッタースタッカー装置。
【請求項５】
前記積層部は、前記印字部より下層側にこれを設けることを特徴とする請求項１記載の印字用紙用カッタースタッカー装置。
【発明の詳細な説明】
【技術分野】
【０００１】
本発明は印字用紙用カッタースタッカー装置にかかるもので、とくにプリンターに搭載されるカッターユニットにより切断、排出された印字用紙を順次受け取って積層してゆく印字用紙用カッタースタッカー装置に関するものである。
【背景技術】
【０００２】
従来の印字用紙用カッタースタッカー装置は、印字され切断されて単葉の形態となったラベルやタグその他の印字用紙を逐次受け取って、積層するようにしている。
とくに、印字用紙に所定の順番で印字して積層する場合には、そのカッタースタッカー装置の構成により積層の順序が異なる。
たとえば、図４は、降順式のスタッカー１の概略側面図であって、このスタッカー１は、そのスタッカーテーブル２が、切断された単葉の印字用紙３が供給されるにともなって下方に下降し、印字用紙３を順次積層してゆく。
印字用紙３の表面に印字面４（図中、点で表している）があり、印字され積層されてゆく順番を印字面４の横に括弧付きの数字で表している。
【０００３】
こうした構成の降順式のスタッカー１においては、スタッカー１への印字用紙３の積層にあたって、スタッカーテーブル２が順次下方に下降して行くので、大きな印字用紙３であっても、あるいは大量の印字用紙３を積層する場合であっても、積層してゆく印字用紙３全体の重量を受動的に受けるだけであるため、スタッカー１自体の駆動負荷は小さく、構造としては比較的単純かつ簡単なものとすることができる。
しかしながら、たとえば連番印字その他連番管理を必要とする内容の印字を行う場合には、より若い番号を印字された印字用紙３が下層側に位置し、上方に向かって番号の順に増えているため、積層が終了した状態では、スタッカー１から取り出したその印字用紙３の積層状態は、上から下に向かって順序が逆順（降順、すなわち、より大きな番号からより小さな番号に）になっており、スタッカー１から取り出したのちの取扱いが不便であるという問題がある。
【０００４】
図５は、昇順式のスタッカー５の概略側面図であって、このスタッカー５は、そのスタッカーテーブル６が、所定レベル位置に固定状態であり、切断された単葉の印字用紙３が供給されるにともなって、先に積層された印字用紙３の下層側につぎの印字用紙３を押し入れて、全体を上方に押し上げ、順次積層してゆく。
なお、図４と同様に、印字用紙３の表面に印字面４（図中、点で表している）があり、印字され積層されてゆく順番を印字面４の横に括弧付きの数字で表している。
【０００５】
こうした構成の昇順式のスタッカー５においては、より若い番号を印字された印字用紙３が上層側に位置し、上方に向かって番号の順に増えているため、積層が終了した状態では、スタッカー５から取り出したその印字用紙３の積層状態は、上から下に向かって順序が正順（昇順、すなわち、より小さな番号からより大きな番号に）になっており、スタッカー５から取り出したのちの取扱いには便利である
しかしながら、昇順式のスタッカー５への印字用紙３の積層にあたって、スタッカーテーブル６が固定位置のままで、積層してゆく印字用紙３全体の重量を積極的に押し上げて積層する必要があるため、スタッカー５自体の駆動負荷が大きく、とくに、大きな印字用紙３、あるいは大量の印字用紙３を積層する場合には、構造が比較的重量化ないし複雑化するという問題がある。
さらにまた、昇順的な積層を行うために、印字部と切断部および積層部との同期を取る必要があり、したがって、これらの間での電気的な制御システムを一体化する必要があるため、汎用性に欠けるという問題もある。
【０００６】
なお、降順式の降順式のスタッカー１あるいは昇順式の昇順式のスタッカー５いずれの構成も、印字部から切断部および積層部は互いに直線的に配置されているため、とくに、幅ないしピッチが大きな印字用紙３を積層しようとする場合には、広い設置スペースを必要とするという問題がある。
【０００７】
【特許文献１】特開２００３−４０５０９号公報
【発明の開示】
【発明が解決しようとする課題】
【０００８】
本発明は以上のような諸問題にかんがみなされたもので、構造を重量化あるいは複雑化させることなく、印字用紙の積層を駆動負荷少なく行うことができる印字用紙用カッタースタッカー装置を提供することを課題とする。
【０００９】
また本発明は、降順式のスタッカーのようにそのスタッカーテーブルを順次下方に下降させる方式であっても、積層された印字用紙を若い番号順に得ることができる印字用紙用カッタースタッカー装置を提供することを課題とする。
【００１０】
また本発明は、印字用紙が大型化しても、あるいは大量の印字用紙を積層する場合にも、駆動負荷を小さく、昇順の積層状態を実現することができる大容量積層を可能とする印字用紙用カッタースタッカー装置を提供することを課題とする。
【００１１】
また本発明は、スタッカー自体の設置スペースを小さくしても、大型の印字用紙を大量に積層することができる印字用紙用カッタースタッカー装置を提供することを課題とする。
【課題を解決するための手段】
【００１２】
すなわち本発明は、印字部から切断部および積層部を立体的に配置すること、印字された印字用紙を表裏反転すること、この反転した状態で積層すること、取り出した積層状態の印字用紙を逆さまにひっくり返せば上から順番に印字された状態の印字用紙を順次得られることに着目したもので、印字部において印字された帯状の印字用紙を切断部により所定ピッチで切断するとともに、この切断された単葉の印字用紙を積層するための印字用紙用カッタースタッカー装置であって、上記印字部と上記切断部との間に設けるとともに、上記印字用紙を表裏反転可能な反転部と、上記切断部の下流側に設けるとともに、上記切断された印字用紙を積層してゆく積層部と、を有することを特徴とする印字用紙用カッタースタッカー装置である。
【００１３】
上記反転部は、回動軸のまわりに揺動可能であって、上記印字用紙を上記印字部から上記切断部にかけて迂回路に迂回させることができるバッファアームを有することができる。
【００１４】
上記反転部は、上記印字用紙を上記印字部から上記切断部にかけて迂回路に迂回させることができる断面弧状のガイドプレートを有することができる。
【００１５】
上記積層部は、上記印字用紙の積層にともなって下方に下降可能なスタッカーテーブルを有することができる。
【００１６】
上記積層部は、上記印字部より下層側にこれを設けることができる。
【発明の効果】
【００１７】
本発明による印字用紙用カッタースタッカー装置においては、印字部により印字された印字用紙を切断部に至る前に反転部により表裏反転するようにしてので、表裏反転された状態でスタッカーテーブルなどの積層部に積み重ねてゆくことができるため、積層された印字用紙はその下層側が若い番号を印字された印字用紙が位置し、上層に向かって大きな番号が印字されていることになる。
したがって、積層部から印字用紙をその積層状態のまま取り出すとともに、この積層状態の印字用紙全体を上下ひっくり返せば、その最上層に一番若い番号の印字用紙が位置し、下方に向かって順次番号が増えた状態で、すなわち、昇順の状態で、印字用紙を取り扱うことが可能となる。
かくして、切断されてくる印字用紙を積層部におけるスタッカーテーブルなどが下降しながら順次受け取って簡単に積層することができ、積層された印字用紙の上に次の印字用紙を乗せてゆくだけであるため、積層した状態の印字用紙の最下層部に次の印字用紙を押し込む構成とは異なり、駆動負荷を少なくして簡略化した構成とすることができる。
とくに、積層部を印字部より下層側に設けるという立体的な構造を採用することにより、全体の設置スペースを節約することができる。
【発明を実施するための最良の形態】
【００１８】
本発明は、帯状の印字用紙を反転部において表裏反転して切断した上で積層するようにしたので、構成簡単として、順番とおりに印字された印字用紙を順番とおりに得ることができる印字用紙用カッタースタッカー装置を実現した。
【実施例】
【００１９】
つぎに本発明の第１の実施例による印字用紙用カッタースタッカー装置を装備したプリンター１０について図１および図２にもとづき説明する。ただし、図４および図５と同様の部分には同一符号を付し、その詳述はこれを省略する。
図１は、プリンター１０の側面図であって、プリンター１０は、三層構造のフレーム部（第1のフレーム部１１、第２のフレーム部１２、第３のフレーム部１３）、およびキャスターローラー１４を有し、所定の場所に移動可能であって、用紙供給部１５と、印字部１６と、印字用紙用カッタースタッカー装置１７と、印字用紙取出し用に開閉可能なフロントドア１８と、を有する。
本発明による印字用紙用カッタースタッカー装置１７は、反転部１９と、切断部２０と、積層部２１と、を有する。
【００２０】
第１のフレーム部１１には、キャスターローラー１４、フロントドア１８および積層部２１を設けてある。
【００２１】
第２のフレーム部１２には、切断部２０を設けてあるとともに、ファンホールドタイプの印字用紙３の載置供給部２２を形成可能としてある。載置供給部２２から印字用紙３を印字部１６に供給可能である。
【００２２】
第３のフレーム部１３には、用紙供給部１５、印字部１６および反転部１９を設けてあるとともに、第３のフレーム部１３から第２のフレーム部１２にかけて、図中左側（プリンター１０の印字用紙移送方向前方および下方への方向）に、反転部１９および切断部２０が位置するように構成してある。
【００２３】
用紙供給部１５は、帯状の印字用紙３をロール状に保持しており、印字用紙３を印字部１６側に帯状に繰り出し可能としている。
【００２４】
印字部１６は、印字用紙３の表面（印字面４、印字部１６においては図中上方）側に所定の情報を印字するための任意の印字方式のプリンター部であって、感熱印字方式、熱転写印字方式、その他任意のものを採用可能である。図示の例では、熱転写印字方式のプリンター部である。
【００２５】
反転部１９は、印字部１６と切断部２０との間に設けるとともに、印字用紙３を表裏反転可能なものであって、印字用紙３の裏面に接触するバッファアーム２３を有する。
バッファアーム２３は、回動軸２４のまわりに揺動可能であって、回動軸２４の部分にスプリング２５を設けてバッファアーム２３を回動軸２４のまわりに図中時計方向に付勢し、バッファアーム２３が印字用紙３を大きくたるませる方向に付勢して印字用紙３を印字部１６から切断部２０にかけてほぼ半円形状ないしは三角形状の迂回路２６を通って迂回させることができる。
バッファアーム２３による印字用紙３の移送方向前方および下方への所定長さにわたるたるみ（第３のフレーム部１３から第２のフレーム部１２方向への垂れ下がり）により、切断部２０と印字部１６との作動速度の差（一般には切断部２０における処理速度の方が早い）を吸収可能であるが、この印字部１６と切断部２０との間の作動制御ないし調整システムは任意である。たとえば、切断部２０における印字用紙３の切断のたびに印字用紙３の移送を停止するように制御することもできるし、あるいは、印字用紙３を移送しながら切断部２０において切断し、切断部２０における印字用紙３の処理が進むにつれてバッファアーム２３が回動軸２４のまわりに反時計方向に回動してきた場合に、一時的に切断部２０における切断を中止し、印字部１６からの印字用紙３の印字処理を待って、すなわち、バッファアーム２３がスプリング２５の付勢力によって時計方向に限界まで回動復帰してから切断処理を再開するように制御することもできる。
【００２６】
切断部２０は、印字部１６において印字された帯状の印字用紙３をその幅方向において所定ピッチで切断して単葉の印字用紙３とするもので、複数個の移送ローラー２７およびセンサー２８とともに、カッター２９を有し、排出ローラー３０の部分から切断された単葉の印字用紙３を積層部２１に供給可能とする。
なお、カッター２９の方式は、ロータリー方式その他任意であり、印字用紙３の移送とともに印字用紙３を切断するタイプ、あるいは切断時に印字用紙３の移送を停止するタイプ、その他任意のものを採用可能である。
【００２７】
積層部２１は、反転部１９の下流側に設けるとともに、切断された単葉の印字用紙３を順次積層してゆくもので、印字部１６および反転部１９、切断部２０より下層側にこれを設けてある。
積層部２１は、スタッカーテーブル３１と、一対のプーリー３２に巻き掛けた昇降用エンドレスワイヤ３３と、昇降用駆動モーター３４と、ピッチ規制機構３５と、を有する。
【００２８】
スタッカーテーブル３１は、一対の排出ローラー３０から積層部３１の内部に案内された印字用紙３をその積層面３１Ａに上から順次積み重ねてゆくもので、取付け部３１Ｂにおいて昇降用エンドレスワイヤ３３に固定し、昇降用駆動モーター３４の駆動による昇降用エンドレスワイヤ３３の正逆回転にともなって図中上下に昇降する（図１中、一点鎖線、実線、仮想線を参照）。すなわちスタッカーテーブル３１は、印字用紙３の積層にともなって下方に下降可能である。
【００２９】
ピッチ規制機構３５は、印字用紙３のピッチ寸法（図１中、左右方向の寸法）に応じて、スタッカーテーブル３１とは独立にピッチ方向において位置調整可能とするもので、ピッチ規制プレート３６と、位置調整用ダイヤルノブ３７と、ワイヤ３８およびスプリング３９と、ガイドシャフト４０と、一対のプーリー４１と、を有する。
スタッカーテーブル３１の積層面３１Ａと、ピッチ規制プレート３６の規制面３６Ａと、フロントドア１８の内壁面１８Ａとによって形成される積層空間４２に印字用紙３が順次積層されてくる。
ピッチ規制プレート３６は、排出ローラー３０から投入されてくる印字用紙３の先端部をその規制面３６Ａにより規制するもので、印字用紙３のピッチ方向に移動可能として、スタッカーテーブル３１とは独立にピッチ方向において位置調整可能である。
すなわち、ワイヤ３８をピッチ規制プレート３６のベース部３６Ｂおよび一対のプーリー４１のまわりにスプリング３９により所定の張力で張ってあり、位置調整用ダイヤルノブ３７を正逆方向に回転操作することにより、プーリー４１を回転させ、ワイヤ３８を正逆方向に移動させて、左右一対のガイドシャフト４０に沿ってピッチ規制プレート３６（ベース部３６Ｂ）が移動調整可能としてある。
【００３０】
こうした構成のプリンター１０および印字用紙用カッタースタッカー装置１７において、用紙供給部１５あるいは載置供給部２２から供給される帯状の印字用紙３は、印字部１６においてその表面（印字面４）側に所定の情報を印字され、反転部１９において迂回路２６に迂回し、切断部２０に至って所定ピッチで切断される。
この迂回路２６における迂回の際に印字用紙３の印字面４（表面）は、図中上側から下側に反転して切断部２０において切断され、完全に表裏が反転した状態で、すなわち、印字面４がスタッカーテーブル３１の積層面３１Ａに向かった状態で（印字用紙３の裏面が上側に向いた状態で）積層部２１の積層空間４２に上からスタッカーテーブル３１の積層面３１Ａに順次積層されてゆく。
【００３１】
図２は、この印字用紙３の積層状態を示す積層空間４２の概略側面図であって、積層空間４２においては、印字用紙３はその印字面４を図中下側にした状態で若い番号から順次積層されることになる。なお、図４および図５と同様に、印字され積層されてゆく順番を印字面４の横に括弧付きの数字で表している。
【００３２】
かくして、積層部２１における積層を終了し、フロントドア１８を開放して積層状態の印字用紙３を積層空間４２から外部に取り出し、そのまま印字用紙３全体を上下反対側にひっくり返せば、上側には若い番号が位置し、その下方に向かって順次番号が増える順番で印字用紙３の積層状態を得ることができ、その取扱いを便利なものとすることができる。
しかも、スタッカーテーブル３１は、その上側から自重で自然落下する印字用紙３をその積層面３１Ａに受け取るだけであるので、昇降用駆動モーター３４、プーリー３２、昇降用エンドレスワイヤ３３による下降作動だけですみ、印字用紙用カッタースタッカー装置１７全体の駆動負荷を小さく抑えることができ、全体の構成を簡略化することができるとともに、用紙供給部１５、印字部１６、反転部１９、切断部２０および積層部２１などの各部分を第１のフレーム部１１、第２のフレーム部１２および第３のフレーム部１３などによる立体構造として組み込んだので、平面的な設置スペースを大きく取ることがない。
【００３３】
本発明においては、印字用紙３を迂回させる構成としては、バッファアーム２３以外にも任意の構成を採用可能である。
たとえば、図３は、本発明の第２の実施例による印字用紙用カッタースタッカー装置を装備したプリンター５０の要部概略側面図であって、このプリンター５０は、その印字用紙用カッタースタッカー装置５１の反転部５２として、断面弧状のガイドプレート５３を有する。
【００３４】
このガイドプレート５３は、印字用紙３を印字部１６から切断部２０にかけて迂回路５４に迂回させることができるもので、印字用紙３はこの迂回路５４の通過および切断部２０による切断処理を経て、積層空間４２内にその表裏面を反転させられて、既述の印字用紙用カッタースタッカー装置１７（図１、図２）の場合と同様に、積層されてゆくものである。
【００３５】
なお、印字部１６と切断部２０との間の作動制御ないし調整システムとしては、切断部２０における印字用紙３の切断のたびに印字用紙３の移送を停止するように制御することが望ましい。
【００３６】
こうした構成のプリンター５０および印字用紙用カッタースタッカー装置５１においても、印字用紙３を反転部５２のガイドプレート５３により弧状にガイドし、その表裏を反転可能とした上で、切断部２０および積層部２１に供給可能であるので、積層空間４２から印字用紙３を取り出して上下をひっくり返せば、若い番号順に印字された印字用紙３の積層物を得ることができ、その後の取り扱いを容易にすることができる。
【図面の簡単な説明】
【００３７】
【図１】本発明の第１の実施例による印字用紙用カッタースタッカー装置１７を装備したプリンター１０の側面図である。
【図２】同、印字用紙３の積層状態を示す積層空間４２の概略側面図である。
【図３】本発明の第２の実施例による印字用紙用カッタースタッカー装置５１を装備したプリンター５０の要部概略側面図である。
【図４】従来の降順式のスタッカー１の概略側面図である。
【図５】従来の昇順式のスタッカー５の概略側面図である。
【符号の説明】
【００３８】
１  降順式のスタッカー（図４）
２  スタッカーテーブル
３  印字用紙
４  印字用紙３の印字面
５  昇順式のスタッカー（図５）
６  スタッカーテーブル
１０  プリンター（図１）
１１  第１のフレーム部
１２  第２のフレーム部
１３  第３のフレーム部
１４  キャスターローラー
１５  印字用紙３の用紙供給部
１６  印字部
１７  印字用紙用カッタースタッカー装置（第１の実施例、図１）
１８  フロントドア
１８Ａ  フロントドア１８の内壁面
１９  反転部
２０  切断部
２１  積層部
２２  ファンホールドタイプの印字用紙３の載置供給部
２３  バッファアーム
２４  回動軸
２５  スプリング
２６  迂回路
２７  移送ローラー
２８  センサー
２９  カッター
３０  排出ローラー
３１  スタッカーテーブル
３１Ａ  スタッカーテーブル３１の積層面
３１Ｂ  スタッカーテーブル３１の取付け部
３２  一対のプーリー
３３  昇降用エンドレスワイヤ
３４  昇降用駆動モーター
３５  ピッチ規制機構
３６  ピッチ規制プレート
３６Ａ  ピッチ規制プレート３６の規制面
３６Ｂ  ピッチ規制プレート３６のベース部
３７  位置調整用ダイヤルノブ
３８  ワイヤ
３９  スプリング
４０  ガイドシャフト
４１  一対のプーリー
４２  積層空間
５０  プリンター（図３）
５１  印字用紙用カッタースタッカー装置（第２の実施例、図３）
５２  反転部
５３  断面弧状のガイドプレート
５４  迂回路
【図１】
2005239396.tif 000003
【図２】
2005239396.tif 000004
【図３】
2005239396.tif 000005
【図４】
2005239396.tif 000006
【図５】
2005239396.tif 000007